(57)【要約】【課題】ネットワークの障害が発生した場合にも画像表示を継続できる技術を提供することを目的とする。【解決手段】画像表示装置１００は、ネットワーク３００を介してＷｅｂコンテンツデータを取得するネットワークＩ／Ｆ１１０と、Ｗｅｂコンテンツデータを記憶するための外部メモリ４００と接続可能に構成されかつ接続された外部メモリ４００からＷｅｂコンテンツデータを取得する外部メモリＩ／Ｆ１２０とを備えている。さらに画像表示装置１００は、ネットワークＩ／Ｆ１１０を介して取得したＷｅｂコンテンツデータと、外部メモリＩ／Ｆ１２０を介して取得したＷｅｂコンテンツデータのうちの一方を選択するＷｅｂコンテンツ選択部１３０と、Ｗｅｂコンテンツ選択部１３０が選択したＷｅｂコンテンツデータを解釈し描画するＷｅｂブラウザ１５０と、Ｗｅｂブラウザ１５０が描画した描画データを表示する表示部である表示パネル１７０とを備えている。【選択図】図２
2015035038.tif 000002
【特許請求の範囲】
【請求項１】
ネットワークを介してＷｅｂコンテンツを取得するネットワークインターフェースと、
Ｗｅｂコンテンツを記憶するための外部メモリと接続可能に構成され、かつ、接続された前記外部メモリからＷｅｂコンテンツを取得する外部メモリインターフェースと、
前記ネットワークインターフェースを介して取得したＷｅｂコンテンツと、前記外部メモリインターフェースを介して取得したＷｅｂコンテンツのうちの一方を選択するＷｅｂコンテンツ選択部と、
前記Ｗｅｂコンテンツ選択部が選択したＷｅｂコンテンツを解釈し描画するＷｅｂブラウザと、
前記Ｗｅｂブラウザが描画した描画データを表示する表示部と、
を備えた、画像表示装置。
【請求項２】
請求項１記載の画像表示装置を備えた画像表示システムであって、
Ｗｅｂコンテンツを配信するＷｅｂサーバーが、前記ネットワークを介して前記ネットワークインターフェースと接続され、
前記ネットワークインターフェースを介して前記Ｗｅｂサーバーから取得したＷｅｂコンテンツが、前記外部メモリインターフェースに接続された前記外部メモリに記憶され、
前記Ｗｅｂコンテンツ選択部は、前記外部メモリから読み出した前記Ｗｅｂサーバーから取得したＷｅｂコンテンツを選択する、画像表示システム。
【請求項３】
前記外部メモリが前記外部メモリインターフェースと接続されていない場合、前記Ｗｅｂコンテンツ選択部は、前記Ｗｅｂサーバーから前記ネットワークインターフェースを介して取得したＷｅｂコンテンツを選択する、請求項２記載の画像表示システム。
【請求項４】
請求項１記載の画像表示装置を備えた画像表示システムであって、
Ｗｅｂコンテンツを配信するＷｅｂサーバーが、前記ネットワークを介して前記ネットワークインターフェースと接続され、
前記Ｗｅｂサーバーが配信するＷｅｂコンテンツとは異なる第２のＷｅｂコンテンツが前記外部メモリに記憶され、
前記外部メモリが前記外部メモリインターフェースと接続されている場合、前記Ｗｅｂコンテンツ選択部は、前記外部メモリから読み出した第２のＷｅｂコンテンツを選択する、画像表示システム。
【請求項５】
請求項１記載の画像表示装置を備えた画像表示システムであって、
Ｗｅｂコンテンツを配信するＷｅｂサーバーが、前記ネットワークを介して前記ネットワークインターフェースと接続され、
前記Ｗｅｂサーバーが配信するＷｅｂコンテンツとは異なる第２のＷｅｂコンテンツが前記外部メモリに記憶され、
前記ネットワークインターフェースを介してＷｅｂコンテンツが取得できない場合、前記Ｗｅｂコンテンツ選択部は、前記外部メモリから読み出した第２のＷｅｂコンテンツを選択する、画像表示システム。
【発明の詳細な説明】
【技術分野】
【０００１】
本発明は、電子広告および電子案内板などに用いることが可能な画像表示装置および画像表示装置を備えた画像表示システムに関し、特に表示するコンテンツの取得方法に関するものである。
【背景技術】
【０００２】
電子広告、電子案内およびサイネージでは、Ｗｅｂ技術をベースとするシステム（以下「Ｗｅｂサイネージシステム」という）が利用されることが多い。このようなＷｅｂサイネージシステムでは、コンテンツはＷｅｂコンテンツである。Ｗｅｂサイネージシステムでは、Ｗｅｂコンテンツを配信するＷｅｂサーバーと、ネットワークを介してＷｅｂサーバーから配信されたＷｅｂコンテンツを受信し、受信したＷｅｂコンテンツを表示させるＷｅｂブラウザとを有する画像表示装置が、基本的な構成要素である。
【０００３】
Ｗｅｂコンテンツは、画像の構成等を記述したＨＴＭＬ（Hyper Text Markup Language）のファイルと、素材としての静止画、動画、音声などのファイルなどから構成されている。Ｗｅｂサーバーは、ｈｔｔｐプロトコルを用いてデータの送受を行うサーバーである。画像表示装置のＷｅｂブラウザは、所定のＷｅｂコンテンツをＷｅｂサーバーに要求し、Ｗｅｂサーバーは、その要求に応じてＷｅｂコンテンツを画像表示装置にネットワークを介して配信する。
【０００４】
Ｗｅｂコンテンツを受信した画像表示装置は、Ｗｅｂブラウザを用いてＷｅｂコンテンツを画面に表示させる（例えば特許文献１参照）。商品の宣伝および経路の案内などのＷｅｂコンテンツは、商業施設および駅などにおいて広告および案内表示等に用いられている。
【先行技術文献】
【特許文献】
【０００５】
【特許文献１】特開２００４−９４４８１号公報
【発明の概要】
【発明が解決しようとする課題】
【０００６】
上記のＷｅｂサイネージシステムでは、Ｗｅｂサーバーと画像表示装置との間のネットワークが正常であることが前提であり、ネットワークの障害が生じるとその障害が解消するまで画像表示ができなくなるという問題がある。また、ネットワークの障害は種々の要因があり、一般のユーザーが容易にその障害を解消できるものでもない。そのために広告画像等が表示できない時間が長時間に及ぶことが多い。
【０００７】
そこで、本発明は、ネットワークの障害が発生した場合にも画像表示を継続できる技術を提供することを目的とする。
【課題を解決するための手段】
【０００８】
本発明に係る画像表示装置は、ネットワークを介してＷｅｂコンテンツを取得するネットワークインターフェースと、Ｗｅｂコンテンツを記憶するための外部メモリと接続可能に構成され、かつ、接続された前記外部メモリからＷｅｂコンテンツを取得する外部メモリインターフェースと、前記ネットワークインターフェースを介して取得したＷｅｂコンテンツと、前記外部メモリインターフェースを介して取得したＷｅｂコンテンツのうちの一方を選択するＷｅｂコンテンツ選択部と、前記Ｗｅｂコンテンツ選択部が選択したＷｅｂコンテンツを解釈し描画するＷｅｂブラウザと、前記Ｗｅｂブラウザが描画した描画データを表示する表示部とを備えたものである。
【０００９】
また、本発明に係る画像表示システムは、画像表示装置を備えた画像表示システムであって、Ｗｅｂコンテンツを配信するＷｅｂサーバーが、前記ネットワークを介して前記ネットワークインターフェースと接続され、前記ネットワークインターフェースを介して前記Ｗｅｂサーバーから取得したＷｅｂコンテンツが、前記外部メモリインターフェースに接続された前記外部メモリに記憶され、前記Ｗｅｂコンテンツ選択部は、前記外部メモリから読み出した前記Ｗｅｂサーバーから取得したＷｅｂコンテンツを選択するものである。
【発明の効果】
【００１０】
本発明によれば、Ｗｅｂコンテンツ選択部は、ネットワークインターフェースを介して取得したＷｅｂコンテンツと、外部メモリインターフェースを介して取得したＷｅｂコンテンツのうちの一方を選択するため、Ｗｅｂコンテンツ選択部が外部メモリインターフェースを介して取得したＷｅｂコンテンツを選択する場合、Ｗｅｂブラウザは、外部メモリインターフェースを介して取得したＷｅｂコンテンツを描画することができる。そして、表示部は、当該Ｗｅｂコンテンツを描画した描画データを表示することができる。
【００１１】
したがって、ネットワークに障害が生じた場合にも、画像表示装置は、画像表示を継続させることが可能となり、画像が表示できない時間を圧倒的に減少させることができる。
【図面の簡単な説明】
【００１２】
【図１】実施の形態１に係る画像表示装置を備えた画像表示システムにおいて、画像表示装置とＷｅｂサーバーと外部メモリとの接続関係を示す模式図である。
【図２】実施の形態１に係る画像表示装置の構成図である。
【図３】実施の形態２に係る画像表示装置の構成図である。
【発明を実施するための形態】
【００１３】
＜実施の形態１＞
本発明の実施の形態１について、図面を用いて以下に説明する。
【００１４】
（構成）
図１は、実施の形態１に係る画像表示装置１００を備えた画像表示システムにおいて、画像表示装置１００とＷｅｂサーバー２００と外部メモリ４００との接続関係を示す模式図である。画像表示システムは、画像表示装置１００と、Ｗｅｂサーバー２００と、外部メモリ４００とを備えている。
【００１５】
Ｗｅｂサーバー２００は、Ｗｅｂコンテンツ（Ｗｅｂコンテンツデータ）を配信するための装置であり、Ｗｅｂサーバー２００には、Ｗｅｂコンテンツデータが蓄積されている。また、Ｗｅｂサーバー２００は、ネットワーク３００を介して画像表示装置１００に接続されている。外部メモリ４００は、例えば、ＳＤカードまたはＵＳＢメモリなどであり、Ｗｅｂコンテンツデータを記憶可能に構成されている。また、外部メモリ４００は、画像表示装置１００に接続される。ただし、外部メモリ４００におけるＷｅｂコンテンツデータの記憶方法の詳細については後述することとする。
【００１６】
次に、画像表示装置１００の構成について説明する。図２は、実施の形態１に係る画像表示装置１００の構成図である。図２に示すように、画像表示装置１００は、ネットワークインターフェース１１０と、外部メモリインターフェース１２０と、Ｗｅｂコンテンツ選択部１３０と、ＣＰＵ１４０と、Ｗｅｂブラウザ１５０と、画像表示処理部１６０と、表示パネル１７０（表示部）とを備えている。画像表示装置１００を構成する各ブロックは、ハードウェアで構成されている。
【００１７】
ネットワークインターフェース（以下「ネットワークＩ／Ｆ」という）１１０は、ネットワーク３００を介してＷｅｂサーバー２００と接続され、ネットワーク３００を介してＷｅｂサーバー２００から配信されたＷｅｂコンテンツデータを取得する。外部メモリインターフェース（以下「外部メモリＩ／Ｆ」という）１２０は、外部メモリ４００と接続可能に構成され、接続された外部メモリ４００からＷｅｂコンテンツデータを取得する。
【００１８】
Ｗｅｂコンテンツ選択部１３０は、ネットワークＩ／Ｆ１１０を介してＷｅｂサーバー２００から取得したＷｅｂコンテンツデータと、外部メモリＩ／Ｆ１２０を介して取得したＷｅｂコンテンツデータのうちの一方を選択する。Ｗｅｂブラウザ１５０は、Ｗｅｂコンテンツ選択部１３０が選択したＷｅｂコンテンツデータを解釈し、表示パネル１７０に表示させるための描画データを描画する。画像表示処理部１６０は、Ｗｅｂブラウザ１５０が描画した描画データを表示パネル１７０に表示させるための画像表示処理を行う。
【００１９】
表示パネル１７０は、例えば、液晶パネルなどであり、Ｗｅｂブラウザ１５０が描画した描画データを表示する。ＣＰＵ１４０は、画像表示装置１００を構成する各ブロック（より具体的には、ネットワークＩ／Ｆ１１０、外部メモリＩ／Ｆ１２０、Ｗｅｂコンテンツ選択部１３０、Ｗｅｂブラウザ１５０および画像表示処理部１６０）の動作および制御などを司る。
【００２０】
（動作）
次に、画像表示装置１００および画像表示装置１００を備えた画像表示システムの動作について説明する。
【００２１】
Ｗｅｂコンテンツデータは、予めＷｅｂサーバー２００に蓄積されている。画像表示装置１００（より具体的にはＣＰＵ１４０）がネットワーク３００を介してＷｅｂサーバー２００にＷｅｂコンテンツを要求すると、Ｗｅｂサーバー２００は、当該要求に応じてネットワーク３００を介して画像表示装置１００にＷｅｂコンテンツデータを送信する。
【００２２】
ネットワークＩ／Ｆ１１０からＷｅｂコンテンツデータが受信（取得）されると、受信したＷｅｂコンテンツデータは一旦、外部メモリＩ／Ｆ１２０に接続されている外部メモリ４００に記憶される。各Ｗｅｂコンテンツデータの記憶先に応じて、当該ＷｅｂコンテンツデータのＨＴＭＬファイルにおける参照先は適宜変更される。
【００２３】
例えば、ｘｙｚ．ｊｐｇの静止画ファイルの参照先が、ｌｏｃａｔｉｏｎ−ｘ／ｌｏｃａｔｉｏｎ−ｙ／ｌｏｃａｔｉｏｎ−ｚ／ｘｙｚ．ｊｐｇであり、ｘｙｚ．ｊｐｇをｂｕｆｆ／ｐｉｃｔ／に記憶した場合は、ＨＴＭＬファイルにおける参照先は、ｂｕｆｆ／ｐｉｃｔ／ｘｙｚ．ｊｐｇに変更される。もちろん、元の参照先を模して記憶先を生成した場合はこの変更は不要である。
【００２４】
記憶されたＷｅｂコンテンツデータは、再び外部メモリ４００から読み出される。Ｗｅｂコンテンツ選択部１３０は、外部メモリＩ／Ｆ１２０を介して外部メモリ４００から読み出したＷｅｂコンテンツデータを選択する。Ｗｅｂブラウザ１５０は、外部メモリ４００から読み出されたＷｅｂコンテンツを表示画像として構築する。画像表示処理部１６０は、表示画像を表示パネル１７０に表示させる。
【００２５】
外部メモリ４００の容量は、Ｗｅｂサーバー２００から配信されるＷｅｂコンテンツデータのデータサイズよりも大きく、Ｗｅｂサーバー２００から配信されたＷｅｂコンテンツデータは全て、外部メモリ４００に記憶される。Ｗｅｂブラウザ１５０は、外部メモリ４００に記憶されたＷｅｂコンテンツデータを利用して表示画像を生成するため、外部メモリ４００は、Ｗｅｂブラウザ１５０のデータキャッシュメモリとして機能していることになる。
【００２６】
全てのＷｅｂコンテンツデータが外部メモリ４００に記憶された後、ネットワーク３００が障害を起こしＷｅｂサーバー２００と画像表示装置１００との間の通信が遮断された場合でも、Ｗｅｂブラウザ１５０は、外部メモリ４００に記憶されたＷｅｂコンテンツデータを利用するため、画像表示装置１００は、画像表示を継続することができる。
【００２７】
例えば、５枚の静止画を一定時間ごとに切り替えて表示するようなＷｅｂコンテンツの場合、本来は表示する静止画の切り替え毎にＷｅｂサーバー２００から次に表示する静止画像のＷｅｂコンテンツデータを取得する必要がある。このため、ネットワーク３００において通信障害が発生した場合、画像表示装置１００は、次の静止画像を表示できなくなるが、外部メモリ４００に全ての静止画像のＷｅｂコンテンツデータが記憶されているため、画像表示装置１００は、通信障害の発生に関係なく次の静止画像を表示することができる。
【００２８】
外部メモリ４００が画像表示装置１００（より具体的には外部メモリＩ／Ｆ１２０）に接続されていない場合、Ｗｅｂコンテンツ選択部１３０は、ネットワークＩ／Ｆ１１０を介して受信したＷｅｂコンテンツデータを選択し、当該ＷｅｂコンテンツデータをそのままＷｅｂブラウザ１５０に送る。Ｗｅｂブラウザ１５０は、ネットワークＩ／Ｆ１１０を介して受信したＷｅｂコンテンツデータを解釈し描画データを描画する。画像表示処理部１６０は、当該描画データに基づいて表示パネル１７０に画像を表示させる。すなわち、外部メモリ４００が外部メモリＩ／Ｆ１２０に接続されていない場合は、従来と同じ方法で画像表示が可能である。
【００２９】
（効果）
以上のように、実施の形態１に係る画像表示装置１００では、Ｗｅｂコンテンツ選択部１３０は、ネットワークＩ／Ｆ１１０を介して取得したＷｅｂコンテンツデータと、外部メモリＩ／Ｆ１２０を介して取得したＷｅｂコンテンツデータのうちの一方を選択するため、Ｗｅｂコンテンツ選択部１３０が外部メモリＩ／Ｆを介して取得したＷｅｂコンテンツデータを選択する場合、Ｗｅｂブラウザ１５０は、外部メモリＩ／Ｆを介して取得したＷｅｂコンテンツデータを描画することができる。そして、表示パネル１７０は、当該Ｗｅｂコンテンツデータを描画した描画データを表示することができる。
【００３０】
したがって、ネットワーク３００に障害が生じた場合にも、画像表示装置１００は、画像表示を継続させることが可能となり、画像が表示できない時間を圧倒的に減少させることができる。
【００３１】
他方、Ｗｅｂコンテンツ選択部１３０がネットワークＩ／Ｆ１１０を介して取得したＷｅｂコンテンツデータを選択する場合は、従来の画像表示方法と同様に、Ｗｅｂブラウザ１５０は、ネットワークＩ／Ｆ１１０を介して取得したＷｅｂコンテンツデータを描画することができる。そして、表示パネル１７０は、当該Ｗｅｂコンテンツデータを描画した描画データを表示することができる。
【００３２】
画像表示装置１００を備えた画像表示システムでは、Ｗｅｂコンテンツデータを配信するＷｅｂサーバー２００が、ネットワーク３００を介してネットワークＩ／Ｆ１１０と接続され、ネットワークＩ／Ｆ１１０を介してＷｅｂサーバー２００から取得したＷｅｂコンテンツデータが、外部メモリＩ／Ｆ１２０に接続された外部メモリ４００に記憶され、Ｗｅｂコンテンツ選択部１３０は、外部メモリ４００から読み出したＷｅｂサーバー２００から取得したＷｅｂコンテンツデータを選択する。
【００３３】
したがって、Ｗｅｂサーバー２００から配信される全てのＷｅｂコンテンツデータが外部メモリ４００に記憶完了後は、ネットワーク３００に障害が生じた場合にも、画像表示システムは、Ｗｅｂコンテンツデータの選択を切り替えることなく、画像表示を継続させることが可能となり、画像が表示できない時間をなくすことができる。
【００３４】
外部メモリ４００が外部メモリＩ／Ｆ１２０と接続されていない場合、Ｗｅｂコンテンツ選択部１３０は、Ｗｅｂサーバー２００からネットワークＩ／Ｆ１１０を介して取得したＷｅｂコンテンツデータを選択する。したがって、従来の画像表示方法と同様に、Ｗｅｂサーバー２００からネットワークＩ／Ｆ１１０を介して取得したＷｅｂコンテンツデータを選択することが可能であるため、外部メモリ４００の接続をうっかり忘れたり、外部メモリ４００が何らかの原因で外れてしまったりした場合にも、画像表示システムは、Ｗｅｂコンテンツを表示させることができる。
【００３５】
また、本実施の形態においては、外部メモリ４００に対するＷｅｂコンテンツデータの記憶完了後、Ｗｅｂサーバー２００と画像表示装置１００との間において、Ｗｅｂコンテンツデータの送受信のための通信がなくなるため、通信量が劇的に減少し、通信費用を削減できる。さらに、Ｗｅｂサーバー２００と画像表示装置１００との間において常時通信する必要がなくなるため、画像表示システムにおけるエネルギー消費量の削減を図ることが可能となる。
【００３６】
また、外部メモリ４００として、一般的なＳＤカードまたはＵＳＢメモリなどを利用できるため、通信障害時の画像表示の継続、通信料の削減の効果に比してその導入コストは十分に安価である。さらに、外部メモリ４００は、Ｗｅｂコンテンツデータが記憶可能な容量であればよいため、必要以上に大容量である必要はなく、最適な容量を選択することで導入コストを一層抑制できる。ここで、外部メモリ４００として、ＳＤカードとＵＳＢメモリを例に挙げたが、これらに限定されることなく、外部メモリＩ／Ｆ１２０と接続可能な他のメモリであってもよい。
【００３７】
また、外部メモリ４００に対するＷｅｂコンテンツデータの記憶完了後は、通信が遮断してもＷｅｂコンテンツの表示が可能であるため、外部メモリ４００に対するＷｅｂコンテンツデータの記憶完了後に画像表示装置１００をネットワーク設備のない場所に移動させた場合も、Ｗｅｂコンテンツの表示を行うことも可能である。したがって、画像表示装置１００を一層人目に付く場所に臨機応変に移動させることができる。
【００３８】
さらに、ネットワーク設備のある場所に設置された画像表示装置１００において、外部メモリ４００に対するＷｅｂコンテンツデータの記憶完了後、外部メモリ４００を取り外してネットワーク設備のない場所に設置された他の画像表示装置１００に外部メモリ４００を接続することで、２台の画像表示装置１００に同じＷｅｂコンテンツを表示させることも可能である。もちろん、Ｗｅｂコンテンツデータの記憶と外部メモリ４００の付け替えを繰り返すことで、２台以上の画像表示装置１００にも同じＷｅｂコンテンツを表示させることが可能であり、画像表示装置１００における運用の自由度が非常に高くなる。
【００３９】
なお、外部メモリ４００が接続されている場合でも、Ｗｅｂコンテンツ選択部１３０は、ネットワークＩ／Ｆ１１０を介してＷｅｂサーバー２００から取得したＷｅｂコンテンツを選択することを優先してもよい。すなわち、通常、Ｗｅｂコンテンツ選択部１３０は、ネットワークＩ／Ｆ１１０を介してＷｅｂサーバー２００から取得したＷｅｂコンテンツを選択する。ネットワーク３００に障害があり、画像表示装置１００がＷｅｂサーバー２００と通信ができない場合、Ｗｅｂコンテンツ選択部１３０は、外部メモリ４００から読み出したＷｅｂコンテンツデータを選択することで、障害が発生した場合にも自動的に利用するＷｅｂコンテンツデータを切り替えることが可能である。
【００４０】
また、障害の発生時には外部メモリ４００からのＷｅｂコンテンツデータを利用し、障害の復旧後は自動的にＷｅｂサーバー２００から取得したＷｅｂコンテンツデータを利用するように切り替えることで、人手による作業を大幅に減じることが可能である。
【００４１】
また、Ｗｅｂコンテンツ選択部１３０とＷｅｂブラウザ１５０は、ソフトウェアで構成されていてもよく、ＣＰＵ１４０とそれぞれのソフトウェアプログラムを用いることで、Ｗｅｂコンテンツ選択部１３０とＷｅｂブラウザ１５０の機能が実現される。
【００４２】
また、ネットワークＩ／Ｆ１１０、外部メモリＩ／Ｆ１２０および画像表示処理部１６０は、ハードウェアで構成されていてもよいし、ハードウェアとソフトウェアで構成されていてもよい。
【００４３】
＜実施の形態２＞
次に、実施の形態２に係る画像表示装置１０１および画像表示装置１０１を備えた画像表示システムについて説明する。図３は、実施の形態２に係る画像表示装置１０１の構成図である。なお、実施の形態２において、実施の形態１で説明したものと同一の構成要素については同一符号を付して説明は省略する。
【００４４】
実施の形態１では、外部メモリ４００をＷｅｂブラウザ１５０のデータキャッシュメモリとして利用していたが、本実施の形態では、第２のＷｅｂコンテンツデータの記憶領域として利用する。また、本実施の形態では外部メモリ４００に第２のＷｅｂコンテンツデータが存在するときは、外部メモリ４００に記憶された第２のＷｅｂコンテンツデータを優先的に利用するようにした。従来、表示内容を変更するためにはＷｅｂサーバーに格納されているＷｅｂコンテンツデータを入れ替える必要があり、臨時的な入れ替えなどには不向きであったが、本実施の形態ではこれを解消している。
【００４５】
図３と図２との違いは、図３において、ネットワークＩ／Ｆ１１０を介してＷｅｂサーバー２００から取得したＷｅｂコンテンツデータを外部メモリ４００に記憶させるために、ネットワークＩ／Ｆ１１０から外部メモリＩ／Ｆ１２０へＷｅｂコンテンツデータを受け渡す経路がないことである。
【００４６】
本実施の形態では、Ｗｅｂサーバー２００から送信されるＷｅｂコンテンツデータとは異なるＷｅｂコンテンツデータが予め外部メモリ４００に記憶されている利用形態を想定している。以下、Ｗｅｂサーバー２００から送信されるＷｅｂコンテンツ（Ｗｅｂコンテンツデータ）を第１のＷｅｂコンテンツ（第１のＷｅｂコンテンツデータ）、外部メモリ４００に記憶されているＷｅｂコンテンツ（Ｗｅｂコンテンツデータ）を第２のＷｅｂコンテンツ（第２のＷｅｂコンテンツデータ）ということにする。
【００４７】
そして、Ｗｅｂコンテンツ選択部１３０は、外部メモリ４００が外部メモリＩ／Ｆ１２０に接続され、かつ、外部メモリ４００に第２のＷｅｂコンテンツデータが存在するときは、第２のＷｅｂコンテンツデータを優先的に利用する。すなわち、第２のＷｅｂコンテンツデータの利用を第１優先とし、第１のＷｅｂコンテンツデータの利用を第２優先とする。
【００４８】
通常、外部メモリ４００は外部メモリＩ／Ｆ１２０に接続されず、Ｗｅｂサーバー２００からの第１のＷｅｂコンテンツが表示される。例えば、商店のタイムサービスのように、臨時的に表示したい場合のみ外部メモリ４００が接続され、タイムサービスに関連する第２のＷｅｂコンテンツが表示されるような運用を考える。
【００４９】
通常は外部メモリ４００が接続されていないことから、Ｗｅｂコンテンツ選択部１３０は、第２優先であるＷｅｂサーバー２００からの第１のＷｅｂコンテンツデータを選択してＷｅｂブラウザ１５０に渡すことで、第１のＷｅｂコンテンツが表示パネル１７０に表示される。
【００５０】
画像表示処理部１６０が、第１のＷｅｂコンテンツを表示パネル１７０に表示させているときに、外部メモリ４００が接続された場合、外部メモリ４００の接続と第２のＷｅｂコンテンツデータの存在に基づいて、Ｗｅｂコンテンツ選択部１３０は、第１優先である外部メモリ４００の第２のＷｅｂコンテンツデータを選択してＷｅｂブラウザ１５０に渡す。その結果、表示パネル１７０に表示される画像は、それまで表示されていた第１のＷｅｂコンテンツに代わって、第２のＷｅｂコンテンツに切り替えられる。
【００５１】
他方、外部メモリ４００が接続され、画像表示処理部１６０が、第２のＷｅｂコンテンツを表示パネル１７０に表示させているときに、外部メモリ４００が取り外された場合、Ｗｅｂコンテンツ選択部１３０は、第２優先であるＷｅｂサーバー２００からの第１のＷｅｂコンテンツデータを選択して、Ｗｅｂブラウザ１５０に渡す。その結果、表示パネル１７０に表示される画像は、それまで表示されていた第２のＷｅｂコンテンツに代わって、第１のＷｅｂコンテンツに切り替えられる。
【００５２】
（効果）
以上のように、実施の形態２に係る画像表示装置１０１を備えた画像表示システムでは、第１のＷｅｂコンテンツデータを配信するＷｅｂサーバー２００が、ネットワーク３００を介してネットワークＩ／Ｆ１１０と接続され、Ｗｅｂサーバー２００が配信する第１のＷｅｂコンテンツデータとは異なる第２のＷｅｂコンテンツデータが外部メモリ４００に記憶され、外部メモリ４００が外部メモリＩ／Ｆ１２０と接続されている場合、Ｗｅｂコンテンツ選択部１３０は、外部メモリ４００から読み出した第２のＷｅｂコンテンツデータを選択する。
【００５３】
したがって、外部メモリ４００を接続するだけの簡単な作業で、第２のＷｅｂコンテンツを臨時的に表示させることができる。また、Ｗｅｂサーバー２００およびネットワーク３００を導入せずに、外部メモリ４００だけでＷｅｂコンテンツを利用した電子広告、電子案内およびサイネージを実施することができる。
【００５４】
なお、本実施の形態では、Ｗｅｂコンテンツ選択部１３０は、外部メモリ４００が接続され、かつ、外部メモリ４００に第２のＷｅｂコンテンツデータが存在するときは、第２のＷｅｂコンテンツデータを第１優先に利用する動作とした。しかし、Ｗｅｂコンテンツ選択部１３０は、外部メモリ４００が接続され、かつ、外部メモリ４００に第２のＷｅｂコンテンツデータが存在するときでも、Ｗｅｂサーバー２００からの第１のＷｅｂコンテンツデータの利用を第１優先とし、外部メモリ４００の第２のＷｅｂコンテンツデータを第２優先として動作してもよい。ネットワーク３００の障害または停止が発生した場合、画像表示システムは、自動的に第１のＷｅｂコンテンツデータから第２のＷｅｂコンテンツに切り替えて画像を表示することができる。
【００５５】
また、複数の画像表示装置１０１が１つのＷｅｂサーバー２００に接続されている場合、Ｗｅｂサーバー２００の接続経路の切断、またはサーバー機能の停止を発生させるだけで、全ての画像表示装置１０１の表示内容をそれぞれに接続されている外部メモリ４００の第２のＷｅｂコンテンツに一斉に切り替えることができる。
【００５６】
また、他の効果として第２のＷｅｂコンテンツとしてネットワーク３００に障害が発生していることを通知する内容のコンテンツを作成しておけば、ネットワーク３００の障害が発生した画像表示装置１０１、すなわち、ネットワークＩ／Ｆを介してＷｅｂコンテンツデータが取得できない場合、Ｗｅｂコンテンツ選択部１３０は、外部メモリ４００から読み出した第２のＷｅｂコンテンツデータを選択する。障害が発生したことを通知する第２のＷｅｂコンテンツに表示が切り替わるため、利用者は、ネットワーク３００に障害が発生したことを直ぐに知ることが可能である。
【００５７】
なお、本発明は、その発明の範囲内において、各実施の形態を自由に組み合わせたり、各実施の形態を適宜、変形、省略することが可能である。
【符号の説明】
【００５８】
１００，１０１  画像表示装置、１１０  ネットワークインターフェース、１２０  外部メモリインターフェース、１３０  Ｗｅｂコンテンツ選択部、１５０  Ｗｅｂブラウザ、１７０  表示パネル、２００  Ｗｅｂサーバー、３００  ネットワーク、４００  外部メモリ。
【図１】
2015035038.tif 000003
【図２】
2015035038.tif 000004
【図３】
2015035038.tif 000005